(57)【要約】【課題】ＴＤＤ方式等、他の装置との間の通信データの送信および受信を時間的に切り替えて行なう方式を採用する構成において、クロック等の周波数変換信号による干渉を防ぐことにより、送信無線信号を高い精度で測定することが可能な無線通信装置を提供する。【解決手段】無線通信装置１０１は、送信データ処理を行なうべき期間の全部または一部において、分岐回路から受けた無線信号をベースバンドのデジタル信号に変換する送信信号測定処理を行なうための送信信号測定部５５と、受信期間以外の期間のうち少なくとも送信信号測定処理を行なうべき測定期間において、受信データ処理部５３へ供給される周波数変換信号の周波数を、測定期間において送信信号測定部５５へ供給される周波数変換信号の周波数以上に設定するための周波数変換信号制御部７４とを備える。【選択図】図２
2012028991.tif 000002
【特許請求の範囲】
【請求項１】
他の装置との間の通信データの送信および受信を時間的に切り替えて行なう無線通信装置であって、
送信すべき通信データを生成し、生成した前記通信データをアナログ信号に変換して出力する送信データ処理を行なうための送信データ処理部と、
前記送信データ処理部から受けた前記アナログ信号を無線信号に変換して前記他の装置へ送信するための無線送信部と、
前記他の装置から無線信号を受信するための無線受信部と、
前記無線受信部によって受信された前記無線信号または前記無線信号が周波数変換された中間周波信号を、供給される周波数変換信号を用いてさらに周波数の低い中間周波信号に変換し、変換した前記中間周波信号からデジタル信号である通信データを生成する受信データ処理を行なうための受信データ処理部とを備え、
前記無線送信部は、前記無線信号を分岐して出力するための分岐回路を含み、
前記無線通信装置は、さらに、
前記送信データ処理を行なうべき期間の全部または一部において、前記分岐回路から受けた前記無線信号または前記無線信号が周波数変換された中間周波信号を、供給される周波数変換信号を用いてさらに周波数の低い中間周波信号に変換し、変換した前記中間周波信号をベースバンドのデジタル信号に変換する送信信号測定処理を行なうための送信信号測定部と、
前記送信信号測定処理を行なうべき測定期間において前記送信信号測定部へ供給される前記周波数変換信号の周波数を、前記受信データ処理を行なうべき受信期間において前記受信データ処理部へ供給される前記周波数変換信号の周波数よりも高く設定し、かつ前記受信期間以外の期間のうち少なくとも前記測定期間において、前記受信データ処理部へ供給される前記周波数変換信号の周波数を、前記測定期間において前記送信信号測定部へ供給される前記周波数変換信号の周波数以上に設定するための周波数変換信号制御部とを備える、無線通信装置。
【請求項２】
前記受信データ処理部は、前記周波数変換信号として供給されるクロックに基づいて、前記無線受信部によって受信された前記無線信号または前記無線信号が周波数変換された中間周波信号を、さらに周波数の低い中間周波帯のデジタル信号に変換するための第１のアナログ／デジタル変換器を含み、
前記送信信号測定部は、前記周波数変換信号として供給されるクロックに基づいて、前記分岐回路から受けた前記無線信号または前記無線信号が周波数変換された中間周波信号をさらに周波数の低い中間周波帯のデジタル信号に変換するための第２のアナログ／デジタル変換器を含み、
前記周波数変換信号制御部は、前記測定期間において前記第２のアナログ／デジタル変換器へ供給される前記クロックの周波数を、前記受信期間において前記第１のアナログ／デジタル変換器へ供給される前記クロックの周波数よりも高く設定し、かつ前記受信期間以外の期間のうち少なくとも前記測定期間において、前記第１のアナログ／デジタル変換器へ供給される前記クロックの周波数を、前記測定期間において前記第２のアナログ／デジタル変換器へ供給される前記クロックの周波数以上に設定する、請求項１に記載の無線通信装置。
【請求項３】
前記周波数変換信号制御部は、前記送信データ処理を行なうべき送信期間における、前記測定期間の開始時から所定時間前のタイミングにおいて、前記受信データ処理部へ供給される前記周波数変換信号の周波数を、前記測定期間において前記送信信号測定部へ供給される前記周波数変換信号の周波数以上に変更する、請求項１または２に記載の無線通信装置。
【請求項４】
前記周波数変換信号制御部は、前記送信データ処理を行なうべき送信期間における、前記測定期間の終了時から所定時間後のタイミングにおいて、前記受信データ処理部へ供給される前記周波数変換信号の周波数を、前記受信期間において前記受信データ処理部へ供給すべき前記周波数変換信号の周波数に変更する、請求項１から３のいずれか１項に記載の無線通信装置。
【請求項５】
前記周波数変換信号制御部は、前記送信データ処理を行なうべき期間と前記受信データ処理を行なうべき期間との間に設けられた切り替え期間において、前記受信データ処理部へ供給される前記周波数変換信号の周波数を変更する、請求項１または２に記載の無線通信装置。
【請求項６】
前記送信データ処理部は、前記送信信号測定部によって変換された前記ベースバンドのデジタル信号に基づいて前記通信データを補正し、補正した前記通信データをアナログ信号に変換して出力する、請求項１から５のいずれか１項に記載の無線通信装置。
【請求項７】
他の装置との間の通信データの送信および受信を時間的に切り替えて行なう無線通信装置であって、
送信すべき通信データを生成し、生成した前記通信データをアナログ信号に変換して出力する送信データ処理を行なうための送信データ処理部と、
前記送信データ処理部から受けた前記アナログ信号を無線信号に変換して前記他の装置へ送信するための無線送信部と、
前記他の装置から無線信号を受信するための無線受信部と、
前記無線受信部によって受信された前記無線信号または前記無線信号が周波数変換された中間周波信号を、供給される周波数変換信号を用いてさらに周波数の低い中間周波信号に変換し、変換した前記中間周波信号からデジタル信号である通信データを生成する受信データ処理を行なうための受信データ処理部とを備え、
前記無線送信部は、前記無線信号を分岐して出力するための分岐回路を含み、
前記無線通信装置は、さらに、
前記送信データ処理を行なうべき期間の全部または一部において、前記分岐回路から受けた前記無線信号または前記無線信号が周波数変換された中間周波信号を、供給される周波数変換信号を用いてさらに周波数の低い中間周波信号に変換し、変換した前記中間周波信号をベースバンドのデジタル信号に変換する送信信号測定処理を行なうための送信信号測定部と、
前記送信信号測定処理を行なうべき測定期間において前記送信信号測定部へ供給される前記周波数変換信号の周波数を、前記受信データ処理を行なうべき受信期間において前記受信データ処理部へ供給される前記周波数変換信号の周波数よりも高く設定し、かつ前記受信期間以外の期間のうち少なくとも前記測定期間において、前記受信データ処理部へ供給される前記周波数変換信号の周波数を、前記受信期間において前記受信データ処理部へ供給される前記周波数変換信号の周波数より高く設定するための周波数変換信号制御部とを備える、無線通信装置。
【請求項８】
他の装置との間の通信データの送信および受信を時間的に切り替えて行なう無線通信装置であって、
送信すべき通信データを生成し、生成した前記通信データをアナログ信号に変換して出力する送信データ処理を行なうための送信データ処理部と、
前記送信データ処理部から受けた前記アナログ信号を無線信号に変換して前記他の装置へ送信するための無線送信部と、
前記他の装置から無線信号を受信するための無線受信部と、
前記無線受信部によって受信された前記無線信号または前記無線信号が周波数変換された中間周波信号を、供給される周波数変換信号を用いてさらに周波数の低い中間周波信号に変換し、変換した前記中間周波信号からデジタル信号である通信データを生成する受信データ処理を行なうための受信データ処理部とを備え、
前記無線送信部は、前記無線信号を分岐して出力するための分岐回路を含み、
前記無線通信装置は、さらに、
前記送信データ処理を行なうべき期間の全部または一部において、前記分岐回路から受けた前記無線信号または前記無線信号が周波数変換された中間周波信号を、供給される周波数変換信号を用いてさらに周波数の低い中間周波信号に変換し、変換した前記中間周波信号をベースバンドのデジタル信号に変換する送信信号測定処理を行なうための送信信号測定部と、
前記送信信号測定処理を行なうべき測定期間において前記送信信号測定部へ供給される前記周波数変換信号の周波数を、前記受信データ処理を行なうべき受信期間において前記受信データ処理部へ供給される前記周波数変換信号の周波数よりも高く設定し、かつ前記受信期間以外の期間のうち少なくとも前記測定期間において、前記受信データ処理部へ供給される前記周波数変換信号の周波数を、前記受信期間において前記受信データ処理部へ供給される前記周波数変換信号の周波数より低く設定するための周波数変換信号制御部とを備える、無線通信装置。
【請求項９】
前記受信期間以外の期間のうち少なくとも前記測定期間において前記受信データ処理部へ供給される前記周波数変換信号の周波数は、前記測定期間において前記送信信号測定部へ供給される前記周波数変換信号の周波数と、前記無線送信部から送信される前記無線信号の帯域幅とに基づいて定められている、請求項７または８に記載の無線通信装置。
【発明の詳細な説明】
【技術分野】
【０００１】
本発明は、無線通信装置に関し、特に、他の装置との間の通信データの送信および受信を時間的に切り替えて行なう無線通信装置に関する。
【背景技術】
【０００２】
ＩＥＥＥ８０２．１６規格に従うＷｉＭＡＸ（Worldwide Interoperability for Microwave Access）では、ＴＤＤ（時分割複信：Time Division Duplex）方式が採用されている。すなわち、ＷｉＭＡＸシステムでは、無線端末装置から無線基地局装置へ通信データを送信するための上り送信期間と、無線基地局装置から無線端末装置へ通信データを送信するための下り送信期間とが切り替えられ、交互に繰り返される。
【０００３】
ＷｉＭＡＸにおける無線通信装置の一例として、たとえば、特開２００９―７１４９６号公報には、以下のような構成が開示されている。すなわち、送信信号と受信信号とを時分割複信方式で切り替えて通信するとともに、上記受信信号に格納されている同期信号に基づいて送受信の切替時刻を示す送受信切替信号を生成する切替信号生成部を備えた無線通信装置に用いられる利得調整回路であって、上記無線通信装置が受信する受信信号から検出される検波電圧を検出する検出部と、上記検波電圧に基づいて、上記受信信号の利得調整を行なう利得調整部と、上記送受信切替信号に基づいて、検波電圧を参照する検波時刻を設定し、この検波時刻で検波電圧を取り込むとともに、上記利得調整部に上記受信信号の利得調整を行なわせる調整時刻を設定し、上記取り込んだ検波電圧に基づいて、上記利得調整部に上記調整時刻で利得調整を行なわせる制御を行なう制御部とを含む。
【先行技術文献】
【特許文献】
【０００４】
【特許文献１】特開２００９―７１４９６号公報
【発明の概要】
【発明が解決しようとする課題】
【０００５】
ブロードバンド無線通信を実現するために、高速デジタル信号処理の役割は非常に重要である。そして、高速デジタル信号処理を実現するためには高速なクロックが必要である。昨今の無線通信においては、デジタル信号処理に用いられるクロックの高速化がますます進んでいる。
【０００６】
具体的には、無線通信においてベースバンド信号として処理されるデータが従来の音声データからパケットデータに代わるにつれて、ベースバンド信号が広帯域化されてきた。この広帯域化を実現するために、デジタル信号処理部ではより高速な動作クロックが必要となる。具体的な数値を用いて説明すると、従来の音声データ用の帯域では数１００ｋＨｚ級のクロック周波数で十分であったが、パケットデータ用の帯域では数１００ＭＨｚ級のクロック周波数が必要となっている。
【０００７】
また、無線通信装置では、送信データを補正することで送信アンプ等の歪みを補償するＤＰＤ（Digital Pre Distortion）を行なうために、分岐された送信無線信号を受信処理してベースバンドのデジタル信号に変換することにより、当該送信無線信号を測定する送信信号測定部が設けられる場合がある。
【０００８】
このような構成においては、クロックの高速化に伴い、送信信号測定部における主信号と、他の装置からの無線信号を処理する受信系において用いられるクロックの周波数とが同じような周波数帯に存在することも珍しくなくなっている。
【０００９】
そうすると、受信系において用いられるクロックが送信信号測定部に漏えいすることにより、送信信号測定部の測定精度が低下してしまう場合がある。
【００１０】
しかしながら、特許文献１には、このような問題点を解決するための構成は開示されていない。
【００１１】
この発明は、上述の課題を解決するためになされたもので、その目的は、ＴＤＤ方式等、他の装置との間の通信データの送信および受信を時間的に切り替えて行なう方式を採用する構成において、クロック等の周波数変換信号による干渉を防ぐことにより、送信無線信号を高い精度で測定することが可能な無線通信装置を提供することである。
【課題を解決するための手段】
【００１２】
（１）上記課題を解決するために、この発明のある局面に係わる無線通信装置は、他の装置との間の通信データの送信および受信を時間的に切り替えて行なう無線通信装置であって、送信すべき通信データを生成し、生成した上記通信データをアナログ信号に変換して出力する送信データ処理を行なうための送信データ処理部と、上記送信データ処理部から受けた上記アナログ信号を無線信号に変換して上記他の装置へ送信するための無線送信部と、上記他の装置から無線信号を受信するための無線受信部と、上記無線受信部によって受信された上記無線信号または上記無線信号が周波数変換された中間周波信号を、供給される周波数変換信号を用いてさらに周波数の低い中間周波信号に変換し、変換した上記中間周波信号からデジタル信号である通信データを生成する受信データ処理を行なうための受信データ処理部とを備え、上記無線送信部は、上記無線信号を分岐して出力するための分岐回路を含み、上記無線通信装置は、さらに、上記送信データ処理を行なうべき期間の全部または一部において、上記分岐回路から受けた上記無線信号または上記無線信号が周波数変換された中間周波信号を、供給される周波数変換信号を用いてさらに周波数の低い中間周波信号に変換し、変換した上記中間周波信号をベースバンドのデジタル信号に変換する送信信号測定処理を行なうための送信信号測定部と、上記送信信号測定処理を行なうべき測定期間において上記送信信号測定部へ供給される上記周波数変換信号の周波数を、上記受信データ処理を行なうべき受信期間において上記受信データ処理部へ供給される上記周波数変換信号の周波数よりも高く設定し、かつ上記受信期間以外の期間のうち少なくとも上記測定期間において、上記受信データ処理部へ供給される上記周波数変換信号の周波数を、上記測定期間において上記送信信号測定部へ供給される上記周波数変換信号の周波数以上に設定するための周波数変換信号制御部とを備える。
【００１３】
このような構成により、受信データ処理部に供給される周波数変換信号が送信信号測定部へ漏えいし、この漏えい周波数変換信号を用いて送信信号測定部が周波数変換を行なうことにより妨害波が発生しても、発生した妨害波が希望波に干渉することを防ぐことができる。このため、送信信号測定部における送信無線信号の測定精度の低下を防ぐことができる。
【００１４】
（２）好ましくは、上記受信データ処理部は、上記周波数変換信号として供給されるクロックに基づいて、上記無線受信部によって受信された上記無線信号または上記無線信号が周波数変換された中間周波信号を、さらに周波数の低い中間周波帯のデジタル信号に変換するための第１のアナログ／デジタル変換器を含み、上記送信信号測定部は、上記周波数変換信号として供給されるクロックに基づいて、上記分岐回路から受けた上記無線信号または上記無線信号が周波数変換された中間周波信号をさらに周波数の低い中間周波帯のデジタル信号に変換するための第２のアナログ／デジタル変換器を含み、上記周波数変換信号制御部は、上記測定期間において上記第２のアナログ／デジタル変換器へ供給される上記クロックの周波数を、上記受信期間において上記第１のアナログ／デジタル変換器へ供給される上記クロックの周波数よりも高く設定し、かつ上記受信期間以外の期間のうち少なくとも上記測定期間において、上記第１のアナログ／デジタル変換器へ供給される上記クロックの周波数を、上記測定期間において上記第２のアナログ／デジタル変換器へ供給される上記クロックの周波数以上に設定する。
【００１５】
このような構成により、第１のアナログ／デジタル変換器へ供給されるクロックが第２のアナログ／デジタル変換器へ漏えいし、この漏えいクロックを用いて第２のアナログ／デジタル変換器がサンプリングを行なうことにより妨害波が発生しても、発生した妨害波が希望波に干渉することを防ぐことができる。このため、送信信号測定部における送信無線信号の測定精度の低下を防ぐことができる。
【００１６】
また、受信期間を含む全期間において第１のアナログ／デジタル変換器へ供給されるクロックの周波数を、第２のアナログ／デジタル変換器へ供給されるクロックの周波数以上に設定しておく構成と比べて、第１のアナログ／デジタル変換器のコストを低減することができる。
【００１７】
（３）好ましくは、上記周波数変換信号制御部は、上記送信データ処理を行なうべき送信期間における、上記測定期間の開始時から所定時間前のタイミングにおいて、上記受信データ処理部へ供給される上記周波数変換信号の周波数を、上記測定期間において上記送信信号測定部へ供給される上記周波数変換信号の周波数以上に変更する。
【００１８】
このような構成により、測定期間において送信信号測定部へ供給される周波数変換信号の周波数以上の周波数変換信号（干渉防止用の周波数変換信号）を、測定期間の開始時から受信データ処理部へ供給する構成と比べて、送信信号測定部への干渉を早期に防止し、送信信号測定処理を確実に安定して開始することができる。
【００１９】
（４）好ましくは、上記周波数変換信号制御部は、上記送信データ処理を行なうべき送信期間における、上記測定期間の終了時から所定時間後のタイミングにおいて、上記受信データ処理部へ供給される上記周波数変換信号の周波数を、上記受信期間において上記受信データ処理部へ供給すべき上記周波数変換信号の周波数に変更する。
【００２０】
このような構成により、送信データ処理を行なうべき期間と受信データ処理を行なうべき期間との間に設けられた切り替え期間において干渉防止用の周波数変換信号の供給を停止する構成と比べて、時間軸で見た場合における受信データ処理部の消費電力を低減することができる。
【００２１】
（５）好ましくは、上記周波数変換信号制御部は、上記送信データ処理を行なうべき期間と上記受信データ処理を行なうべき期間との間に設けられた切り替え期間において、上記受信データ処理部へ供給される上記周波数変換信号の周波数を変更する。
【００２２】
このように、送信期間および受信期間ではなく、切り替え期間において周波数変換信号の周波数を変更する構成により、周波数変換信号の制御処理の簡易化を図ることができる。
【００２３】
（６）好ましくは、上記送信データ処理部は、上記送信信号測定部によって変換された上記ベースバンドのデジタル信号に基づいて上記通信データを補正し、補正した上記通信データをアナログ信号に変換して出力する。
【００２４】
このように、周波数変換信号の周波数制御によって得られる送信無線信号の高精度な測定結果を用いて通信データを補正する構成により、ＴＤＤ方式等、他の装置との間の通信データの送信および受信を時間的に切り替えて行なう方式を採用する構成において、無線通信装置の送信特性を向上させることができる。
【００２５】
（７）またこの発明の別の局面に係わる無線通信装置は、他の装置との間の通信データの送信および受信を時間的に切り替えて行なう無線通信装置であって、送信すべき通信データを生成し、生成した上記通信データをアナログ信号に変換して出力する送信データ処理を行なうための送信データ処理部と、上記送信データ処理部から受けた上記アナログ信号を無線信号に変換して上記他の装置へ送信するための無線送信部と、上記他の装置から無線信号を受信するための無線受信部と、上記無線受信部によって受信された上記無線信号または上記無線信号が周波数変換された中間周波信号を、供給される周波数変換信号を用いてさらに周波数の低い中間周波信号に変換し、変換した上記中間周波信号からデジタル信号である通信データを生成する受信データ処理を行なうための受信データ処理部とを備え、上記無線送信部は、上記無線信号を分岐して出力するための分岐回路を含み、上記無線通信装置は、さらに、上記送信データ処理を行なうべき期間の全部または一部において、上記分岐回路から受けた上記無線信号または上記無線信号が周波数変換された中間周波信号を、供給される周波数変換信号を用いてさらに周波数の低い中間周波信号に変換し、変換した上記中間周波信号をベースバンドのデジタル信号に変換する送信信号測定処理を行なうための送信信号測定部と、上記送信信号測定処理を行なうべき測定期間において上記送信信号測定部へ供給される上記周波数変換信号の周波数を、上記受信データ処理を行なうべき受信期間において上記受信データ処理部へ供給される上記周波数変換信号の周波数よりも高く設定し、かつ上記受信期間以外の期間のうち少なくとも上記測定期間において、上記受信データ処理部へ供給される上記周波数変換信号の周波数を、上記受信期間において上記受信データ処理部へ供給される上記周波数変換信号の周波数より高く設定するための周波数変換信号制御部とを備える。
【００２６】
このような構成により、受信データ処理部に供給される周波数変換信号が送信信号測定部へ漏えいし、この漏えい周波数変換信号を用いて送信信号測定部が周波数変換を行なうことにより妨害波が発生しても、発生した妨害波が希望波に干渉することを防ぐことができる。このため、送信信号測定部における送信無線信号の測定精度の低下を防ぐことができる。
【００２７】
（８）またこの発明の別の局面に係わる無線通信装置は、他の装置との間の通信データの送信および受信を時間的に切り替えて行なう無線通信装置であって、送信すべき通信データを生成し、生成した上記通信データをアナログ信号に変換して出力する送信データ処理を行なうための送信データ処理部と、上記送信データ処理部から受けた上記アナログ信号を無線信号に変換して上記他の装置へ送信するための無線送信部と、上記他の装置から無線信号を受信するための無線受信部と、上記無線受信部によって受信された上記無線信号または上記無線信号が周波数変換された中間周波信号を、供給される周波数変換信号を用いてさらに周波数の低い中間周波信号に変換し、変換した上記中間周波信号からデジタル信号である通信データを生成する受信データ処理を行なうための受信データ処理部とを備え、上記無線送信部は、上記無線信号を分岐して出力するための分岐回路を含み、上記無線通信装置は、さらに、上記送信データ処理を行なうべき期間の全部または一部において、上記分岐回路から受けた上記無線信号または上記無線信号が周波数変換された中間周波信号を、供給される周波数変換信号を用いてさらに周波数の低い中間周波信号に変換し、変換した上記中間周波信号をベースバンドのデジタル信号に変換する送信信号測定処理を行なうための送信信号測定部と、上記送信信号測定処理を行なうべき測定期間において上記送信信号測定部へ供給される上記周波数変換信号の周波数を、上記受信データ処理を行なうべき受信期間において上記受信データ処理部へ供給される上記周波数変換信号の周波数よりも高く設定し、かつ上記受信期間以外の期間のうち少なくとも上記測定期間において、上記受信データ処理部へ供給される上記周波数変換信号の周波数を、上記受信期間において上記受信データ処理部へ供給される上記周波数変換信号の周波数より低く設定するための周波数変換信号制御部とを備える。
【００２８】
このような構成により、受信データ処理部に供給される周波数変換信号が送信信号測定部へ漏えいし、この漏えい周波数変換信号を用いて送信信号測定部が周波数変換を行なうことにより妨害波が発生しても、発生した妨害波が希望波に干渉することを防ぐことができる。このため、送信信号測定部における送信無線信号の測定精度の低下を防ぐことができる。
【００２９】
（９）好ましくは、上記受信期間以外の期間のうち少なくとも上記測定期間において上記受信データ処理部へ供給される上記周波数変換信号の周波数は、上記測定期間において上記送信信号測定部へ供給される上記周波数変換信号の周波数と、上記無線送信部から送信される上記無線信号の帯域幅とに基づいて定められている。
【００３０】
このような構成により、受信データ処理部へ供給される周波数変換信号の周波数を、測定期間において送信信号測定部へ供給される周波数変換信号の周波数以上に設定する方法以外の方法を提供することが可能となり、周波数変換信号の周波数選択の自由度を高めることができる。
【発明の効果】
【００３１】
本発明によれば、ＴＤＤ方式等、他の装置との間の通信データの送信および受信を時間的に切り替えて行なう方式を採用する構成において、クロック等の周波数変換信号による干渉を防ぐことにより、送信無線信号を高い精度で測定することができる。
【図面の簡単な説明】
【００３２】
【図１】本発明の第１の実施の形態に係る無線通信システムの構成を示す図である
【図２】本発明の第１の実施の形態に係る無線通信装置の構成を示す図である。
【図３】本発明の第１の実施の形態に係る無線通信装置における各信号の周波数配置を示す図である。
【図４】本発明の第１の実施の形態に係る無線通信装置がクロック周波数制御を行なわないと仮定した場合におけるクロックの分周数を示す図である。
【図５】本発明の第１の実施の形態に係る無線通信装置がクロック周波数制御を行なわないと仮定した場合における各信号の周波数配置を示す図である。
【図６】送信信号測定部におけるアナログ／デジタル変換器の入出力信号の周波数を示す図である。
【図７】本発明の第１の実施の形態に係る無線通信装置によるクロック周波数制御を示す図である。
【図８】本発明の第１の実施の形態に係る無線通信装置における各信号の周波数配置を示す図である。
【図９】本発明の第１の実施の形態に係る無線通信装置によるクロック周波数制御の他の例を示す図である。
【図１０】本発明の第１の実施の形態に係る無線通信装置の変形例１における各信号の周波数配置を示す図である。
【図１１】本発明の第１の実施の形態に係る無線通信装置の変形例２における各信号の周波数配置の例を示す図である。
【図１２】本発明の第１の実施の形態に係る無線通信装置の変形例３における各信号の周波数配置の例を示す図である。
【図１３】本発明の第２の実施の形態に係る無線通信装置の構成を示す図である。
【図１４】本発明の第２の実施の形態に係る無線通信装置による周波数変換信号の周波数制御を示す図である。
【発明を実施するための形態】
【００３３】
以下、本発明の第１の実施の形態について図面を用いて説明する。なお、図中同一または相当部分には同一符号を付してその説明は繰り返さない。
【００３４】
＜第１の実施の形態＞
［構成および基本動作］
図１は、本発明の第１の実施の形態に係る無線通信システムの構成を示す図である。
【００３５】
図１を参照して、無線通信システム３０１は、たとえばＷｉＭＡＸシステムであり、無線基地局装置（無線通信装置）１０１と、複数の無線端末装置（無線通信装置）２０１とを備える。
【００３６】
無線基地局装置１０１は、通信データを生成して無線端末装置２０１へ送信する。この通信データには、上位ネットワークから受信したデータも含まれる。また、無線基地局装置１０１は、無線端末装置２０１から受信した通信データの全部または一部を上位ネットワークへ送信する。
【００３７】
また、無線基地局装置１０１は、無線端末装置２０１との間の通信データの送信および受信を時間的に切り替えて行なう。ここで、無線基地局装置１０１および無線端末装置２０１においてそれぞれ生成された通信データは、無線基地局装置１０１および無線端末装置２０１によってそれぞれ種々の信号処理が施され、最終的に無線信号に変換された後、無線端末装置２０１および無線基地局装置１０１へそれぞれ送信される。
【００３８】
また、無線通信システム３０１では、たとえば、無線基地局装置１０１から送信される無線信号の１または複数種類のキャリア周波数と無線端末装置２０１から送信される無線信号の１または複数種類のキャリア周波数とが略一致しており、無線基地局装置１０１から送信される無線信号の変調帯域幅と無線端末装置２０１から送信される無線信号の変調帯域幅とが略同じである。
【００３９】
図２は、本発明の第１の実施の形態に係る無線通信装置の構成を示す図である。
【００４０】
図２を参照して、無線基地局装置（無線通信装置）１０１は、送信データ処理部５１と、無線送信部５２と、受信データ処理部５３と、無線受信部５４と、送信信号測定部５５と、送受信切り替えスイッチ１８と、アンテナ１９と、クロック生成部９１と、バッファ２２〜２４とを備える。送信データ処理部５１は、通信データ生成部７５と、データ補正部７６と、デジタル／アナログ変換器（ＤＡＣ）１２とを含む。無線送信部５２は、ミキサ１４と、発振器３１と、送信アンプ１５と、カプラ（分岐回路）３２とを含む。受信データ処理部５３は、ベースバンド変換部７２と、通信データ生成部７３と、アナログ／デジタル変換器（ＡＤＣ）１３とを含む。無線受信部５４は、ミキサ１６と、発振器３４と、受信アンプ１７と、ＢＰＦ（Band Pass Filter）３３とを含む。送信信号測定部５５は、ミキサ３７と、発振器３８と、ＢＰＦ３６と、アナログ／デジタル変換器（ＡＤＣ）３５と、ベースバンド変換部７１とを含む。クロック生成部９１は、発振器２０と、矩形波変換回路２１と、分周器４１〜４３とを含む。信号処理部１１は、たとえばＤＳＰ（Digital Signal Processor）であり、少なくとも通信データ生成部７５、データ補正部７６、ベースバンド変換部７２、通信データ生成部７３、ベースバンド変換部７１、およびクロック制御部（周波数変換信号制御部）７４の機能を実行する。
【００４１】
送信データ処理部５１は、供給されるクロックに基づいて動作することにより、送信すべき通信データを生成し、生成した通信データをアナログ信号に変換して出力する送信データ処理を行なう。
【００４２】
無線送信部５２は、送信データ処理部５１から受けたアナログ信号を無線信号に変換して無線端末装置２０１へ送信する。
【００４３】
無線受信部５４は、無線端末装置２０１から無線信号を受信してＩＦ（Intermediate Frequency）信号に変換し、変換した信号を受信データ処理部５３へ出力する。
【００４４】
受信データ処理部５３は、供給されるクロックに基づいて動作することにより、無線受信部５４から受けたＩＦ信号からデジタル信号である通信データを生成する受信データ処理を行なう。
【００４５】
送信信号測定部５５は、供給されるクロックに基づいて動作することにより、無線送信部５２から受けた無線信号を中間周波帯のデジタル信号に変換し、変換したデジタル信号をベースバンドのデジタル信号に変換する送信信号測定処理を行なう。
【００４６】
クロック生成部９１は、送信データ処理部５１、受信データ処理部５３および送信信号測定部５５を動作させるためのクロックを少なくとも生成する。
【００４７】
より詳細には、発振器２０は、アナログ信号である基準クロックを生成して出力する。矩形波変換回路２１は、発振器２０から受けた基準クロックをデジタル信号のクロックに変換し、分周器４１〜４３へ出力する。
【００４８】
分周器４１は、矩形波変換回路２１から受けたクロックを１／ｎ３（ｎ３は１以上の整数）に分周し、バッファ２２へ出力する。分周器４２は、矩形波変換回路２１から受けたクロックを１／ｎ２（ｎ２は１以上の整数）に分周して周波数ｆｓ２のクロックを生成し、バッファ２３へ出力する。分周器４３は、矩形波変換回路２１から受けたクロックを１／ｎ１（ｎ１は１以上の整数）に分周して周波数ｆｓ１のクロックを生成し、バッファ２４へ出力する。
【００４９】
分周器４１〜４３は、クロック制御部７４から受けたシリアル制御データが示す分周数に従い、分周数１／ｎ３、１／ｎ２および１／ｎ１をそれぞれ決定する。
【００５０】
バッファ２２は、分周器４１から受けたクロックをデジタル／アナログ変換器１２へ出力する。バッファ２３は、分周器４２から受けたクロックをアナログ／デジタル変換器３５へ出力する。バッファ２４は、分周器４３から受けたクロックをアナログ／デジタル変換器１３へ出力する。
【００５１】
通信データ生成部７５は、たとえば上位ネットワークから受信したデータを含む通信データを生成し、生成した通信データに対してたとえばＯＦＤＭ（Orthogonal Frequency Division Multiplex）方式におけるＩＦＦＴ（Inverse First Fourier Transform）等の信号処理を行い、この信号処理後のデジタル信号をデータ補正部７６へ出力する。
【００５２】
デジタル／アナログ変換器１２は、データ補正部７６を介して信号処理部１１から受けたデジタル信号をアナログ信号に変換し、ミキサ１４へ出力する。ここで、デジタル／アナログ変換器１２は、分周器４１から受けたクロックに基づいて動作する。より詳細には、デジタル／アナログ変換器１２は、分周器４１から受けたクロックに同期して、当該クロックの周波数に応じた速さで動作する。
【００５３】
発振器３１は、周波数ｆＴＸを有するたとえば正弦波である周波数変換信号を生成してミキサ１４へ出力する。
【００５４】
ミキサ１４は、デジタル／アナログ変換器１２から受けたベースバンドのアナログ信号と発振器３１から受けた周波数変換信号とを乗算することにより、デジタル／アナログ変換器１２から受けたアナログ信号をたとえば直交変調して無線信号すなわちＲＦ（Radio Frequency）帯の信号に変換し、送信アンプ１５へ出力する。
【００５５】
送信アンプ１５は、ミキサ１４から受けた無線信号を増幅し、カプラ３２へ出力する。
【００５６】
カプラ３２は、送信アンプ１５から受けた無線信号を分岐して出力する。カプラ３２によって分岐された一方の無線信号は、送受信切り替えスイッチ１８およびアンテナ１９を介して無線端末装置２０１へ送信される。また、カプラ３２によって分岐された他方の無線信号は、送信信号測定部５５におけるミキサ３７へ出力される。ここで、カプラ３２からミキサ３７へ出力される無線信号の電力は、カプラ３２から送受信切り替えスイッチ１８へ出力される無線信号の電力と比べてかなり小さくなるように、カプラ３２における結合度が設定される。
【００５７】
発振器３８は、周波数ｆＲＸ２を有するたとえば正弦波である周波数変換信号を生成してミキサ３７へ出力する。
【００５８】
ミキサ３７は、カプラ３２から受けた無線信号と発振器３８から受けた周波数変換信号とを乗算することにより、カプラ３２から受けた無線信号を中心周波数ｆＩＦ２のＩＦ信号に周波数変換し、バンドパスフィルタ３６へ出力する。
【００５９】
バンドパスフィルタ３６は、ミキサ３７から受けたＩＦ信号の周波数成分のうち、所定の周波数帯域外の成分を減衰させた信号をアナログ／デジタル変換器３５へ出力する。
【００６０】
アナログ／デジタル変換器３５は、バンドパスフィルタ３６から受けたＩＦ信号をサンプリング周波数ｆｓ２でアナログ／デジタル変換する、すなわちバンドパスフィルタ３６から受けたＩＦ信号を中心周波数（ｆＩＦ２−ｆｓ２）のデジタル信号に変換し、信号処理部１１におけるベースバンド変換部７１へ出力する。ここで、アナログ／デジタル変換器３５は、分周器４２から受けたクロックに基づいて動作する。
【００６１】
ベースバンド変換部７１は、アナログ／デジタル変換器３５から受けたＩＦ帯のデジタル信号をたとえば直交復調してベースバンドのデジタル信号に変換し、データ補正部７６へ出力する。このベースバンドのデジタル信号が、無線送信部５２から出力される送信無線信号の測定結果を示している。
【００６２】
データ補正部７６は、ベースバンド変換部７１から受けたデジタル信号に基づいて、通信データ生成部７５によって生成された通信データを補正し、デジタル／アナログ変換器１２へ出力する。より詳細には、データ補正部７６は、たとえば、無線送信部５２から受けたデジタル信号が示す送信無線信号の測定結果から、当該送信無線信号の変調帯域外の成分すなわちサイドローブを測定し、このサイドローブが所定レベル以下になるように通信データを補正する。
【００６３】
送受信切り替えスイッチ１８は、信号処理部１１から受けた図示しない制御信号に基づいて、送信アンプ１５から受けた無線信号をアンテナ１９へ出力するか、アンテナ１９から受けた無線信号を受信アンプ１７へ出力するかを切り替える。
【００６４】
信号処理部１１は、たとえば後述する切り替え期間Ｇにおいて、送受信切り替えスイッチ１８の接点の切り替えを行なう。
【００６５】
受信アンプ１７は、アンテナ１９および送受信切り替えスイッチ１８を介して無線端末装置２０１から無線信号を受信し、受信した無線信号を増幅してミキサ１６へ出力する。
【００６６】
発振器３４は、周波数ｆＲＸ１を有するたとえば正弦波である周波数変換信号を生成してミキサ１６へ出力する。
【００６７】
ミキサ１６は、受信アンプ１７から受けた無線信号と発振器３４から受けた周波数変換信号とを乗算することにより、受信アンプ１７から受けた無線信号を中心周波数ｆＩＦ１のＩＦ信号に変換し、バンドパスフィルタ３３へ出力する。
【００６８】
バンドパスフィルタ３３は、ミキサ１６から受けたＩＦ信号の周波数成分のうち、所定の周波数帯域外の成分を減衰させた信号をアナログ／デジタル変換器１３へ出力する。
【００６９】
アナログ／デジタル変換器１３は、バンドパスフィルタ３３から受けたＩＦ信号をサンプリング周波数ｆｓ１でアナログ／デジタル変換する、すなわちバンドパスフィルタ３３から受けたＩＦ信号を中心周波数（ｆＩＦ１−ｆｓ１）のデジタル信号に変換し、信号処理部１１におけるベースバンド変換部７２へ出力する。ここで、アナログ／デジタル変換器１３は、分周器４３から受けたクロックに基づいて動作する。
【００７０】
ベースバンド変換部７２は、アナログ／デジタル変換器１３から受けたＩＦ帯のデジタル信号をたとえば直交復調してベースバンドのデジタル信号に変換し、通信データ生成部７３へ出力する。
【００７１】
通信データ生成部７３は、ベースバンド変換部７２から受けたデジタル信号に対してたとえばＯＦＤＭ方式におけるＦＦＴ（First Fourier Transform）等の信号処理を行なうことにより、無線端末装置２０１が送信した通信データを復元する。
【００７２】
信号処理部１１は、通信データ生成部７３によって復元された通信データを上位ネットワークへ送信するか、または自ら用いて種々の動作を行なう。
【００７３】
［動作］
まず、本発明の第１の実施の形態に係る無線通信装置がクロック周波数制御を行なわないと仮定した場合の動作について図面を用いて説明する。
【００７４】
図３は、本発明の第１の実施の形態に係る無線通信装置における各信号の周波数配置を示す図である。
【００７５】
図３において、横軸が周波数を示し、縦軸がレベルを示す。また、ｆＩＦ１は、ミキサ１６が出力するＩＦ信号の中心周波数を示し、ＢＷは、ミキサ１６が出力するＩＦ信号の変調帯域幅を示し、ｆｓ１は、アナログ／デジタル変換器１３におけるサンプリング周波数すなわちアナログ／デジタル変換器１３が用いるクロックの周波数を示している。また、ｆＩＦ２は、ミキサ３７が出力するＩＦ信号の中心周波数を示し、ｆｓ２は、アナログ／デジタル変換器３５におけるサンプリング周波数すなわちアナログ／デジタル変換器３５が用いるクロックの周波数を示している。また、受信データ処理部５３が受信データ処理を行なうべき受信期間における各信号を点線で示し、送信データ処理部５１が送信データ処理を行なうべき送信期間における各信号を実線で示している。
【００７６】
また、図３は、ｆＩＦ１：ｆＩＦ２＝１：２であり、ｆｓ１：ｆｓ２＝１：２であると仮定した場合を示している。
【００７７】
図３を参照して、受信データ処理部５３において、アナログ／デジタル変換器１３がサンプリング周波数ｆｓ１で中心周波数ｆＩＦ１のＩＦ信号をサンプリングすることにより、ＤＣ（０Ｈｚ）〜ｆｓ１／２のナイキスト領域内に、当該ＩＦ信号が周波数変換された中心周波数（ｆＩＦ１−ｆｓ１）かつバンド幅ＢＷのデジタル信号が生成される。
【００７８】
なお、サンプリング周波数ｆｓ１は、アナログ／デジタル変換器１３の使用可能帯域を上限とした値に設定される。そして、ＤＣ（０Ｈｚ）〜ｆｓ１／２のナイキスト領域内にバンド幅ＢＷのデジタル信号を生成できるように、中心周波数ｆＩＦ１およびサンプリング周波数ｆｓ１の値が設定される。
【００７９】
送信信号測定部５５において、アナログ／デジタル変換器３５がサンプリング周波数ｆｓ２で中心周波数ｆＩＦ２のＩＦ信号をサンプリングすることにより、ＤＣ（０Ｈｚ）〜ｆｓ２／２のナイキスト領域内に、当該ＩＦ信号が周波数変換された中心周波数（ｆＩＦ２−ｆｓ２）かつバンド幅（ＢＷ×５）のデジタル信号（希望波）が生成される。これにより、当該ＩＦ信号の変調帯域外の成分すなわちサイドローブＳＤを測定することが可能となる。
【００８０】
なお、サンプリング周波数ｆｓ２は、アナログ／デジタル変換器３５の使用可能帯域を上限とした値に設定される。そして、ＤＣ（０Ｈｚ）〜ｆｓ２／２のナイキスト領域内にバンド幅（ＢＷ×５）のデジタル信号を生成できるように、中心周波数ｆＩＦ２およびサンプリング周波数ｆｓ２の値が設定される。
【００８１】
図４は、本発明の第１の実施の形態に係る無線通信装置がクロック周波数制御を行なわないと仮定した場合におけるクロックの分周数を示す図である。
【００８２】
図４を参照して、１つのフレーム周期は、送信期間と、受信期間と、受信期間から送信期間への切り替え期間Ｇと、送信期間から受信期間への切り替え期間Ｇとを有する。すなわち、信号処理部１１は、送信データ処理部５１が送信データ処理を行なうべき送信期間と、受信データ処理部５３が受信データ処理を行なうべき受信期間と、送信期間および受信期間を切り替えるために送信アンプ１５および受信アンプ１７の起動および停止、ならびに各種レジスタの設定変更等を行なうための２つの切り替え期間Ｇとを１フレーム周期において設ける。また、信号処理部１１は、送信無線信号を測定するための測定期間を送信期間中に設ける。
【００８３】
無線通信システム３０１では、たとえば、無線基地局装置１０１から無線端末装置２０１への下り方向の通信量が、無線端末装置２０１から無線基地局装置１０１への上り方向の通信量よりも多く定されることから、上記各期間の設定例は以下のようになる。すなわち、１フレームの長さが５ミリ秒に設定され、この１フレームにおいて、送信期間が３．６ミリ秒、受信期間が１．３ミリ秒、２つの切り替え期間Ｇがそれぞれ０．０５ミリ秒に設定される。
【００８４】
ＤＰＤ等を行なうために送信無線信号をモニタする場合には、送信無線信号のサイドローブを測定するために、送信無線信号の変調帯域幅の数倍の帯域を復調する必要がある。このため、一般的に、通常の受信処理を行なう受信系におけるアナログ／デジタル変換器１３のクロックの周波数ｆｓ１に比べて、送信信号測定部５５におけるアナログ／デジタル変換器３５のクロックの周波数ｆｓ２を高く設定する必要がある。
【００８５】
すなわち、無線通信装置１０１がクロック周波数制御を行なわない場合には、送信期間、受信期間および切り替え期間のすべてを通じて、受信系ＡＤＣへのクロックの分周数すなわち分周器４３の分周数はたとえば１／２に設定され、測定用ＡＤＣへのクロックの分周数すなわち分周器４２の分周数はたとえば１／１に設定される。すなわち、送信信号測定部５５におけるアナログ／デジタル変換器３５へ供給されるクロックの周波数ｆｓ２は、受信データ処理部５３におけるアナログ／デジタル変換器１３へ供給されるクロックの周波数ｆｓ１のたとえば２倍に設定される。
【００８６】
図５は、本発明の第１の実施の形態に係る無線通信装置がクロック周波数制御を行なわないと仮定した場合における各信号の周波数配置を示す図である。図の見方は図３と同様である。
【００８７】
図５は、ｆＩＦ１：ｆＩＦ２＝１：２であり、ｆｓ１：ｆｓ２＝１：２であると仮定した場合を示している。
【００８８】
図２において示すように、アナログ／デジタル変換器１３へ供給される周波数ｆｓ１のクロックがアナログ／デジタル変換器３５のクロック入力端子へ漏えいすると、以下のような問題が生じる。
【００８９】
すなわち、図５を参照して、アナログ／デジタル変換器１３のサンプリング周波数ｆｓ１は、アナログ／デジタル変換器３５のサンプリング周波数ｆｓ２の１／２に相当する。このため、アナログ／デジタル変換器３５がサンプリング周波数ｆｓ１で中心周波数ｆＩＦ２のＩＦ信号をサンプリングすることにより、測定すべきＩＦ信号が周波数変換された中心周波数（ｆｓ１−ｆＩＦ２）かつバンド幅（ＢＷ×５）のデジタル信号を、周波数軸上でＤＣを中心に折り返した成分が生成される。すなわち、希望波と無相関の、中心周波数（ｆＩＦ２−ｆｓ１）かつバンド幅（ＢＷ×５）のデジタル信号が生成される。
【００９０】
さらに、アナログ／デジタル変換器３５がサンプリング周波数ｆｓ１でこのデジタル信号をサンプリングすることにより、当該デジタル信号が周波数変換された中心周波数（ｆＩＦ２−２×ｆｓ１）かつバンド幅（ＢＷ×５）のデジタル信号が生成される。
【００９１】
すなわち、アナログ／デジタル変換器３５の出力するデジタル信号において、希望波とは無相関の信号が、周波数軸上で当該希望波と重なった状態で存在することになる（妨害波１）。
【００９２】
また、図２において示すように、アナログ／デジタル変換器１３へ供給される周波数ｆｓ１のクロックの３倍波がアナログ／デジタル変換器３５のクロック入力端子へ漏えいすると、以下のような問題が生じる。
【００９３】
すなわち、図５を参照して、周波数ｆｓ１のクロックの３倍波は、中心周波数ｆＩＦ２よりも周波数が高いことから、アナログ／デジタル変換器３５がサンプリング周波数（ｆｓ１×３）で中心周波数ｆＩＦ２のＩＦ信号をサンプリングすることにより、中心周波数ｆＩＦ２のＩＦ信号のうち、ナイキスト条件を満たしていない成分が、周波数軸上で周波数（ｆｓ１×３／２）を中心に折り返され、アナログ／デジタル変換器３５のナイキスト領域内に混入してしまう。すなわち、希望波と無相関の、中心周波数（３×ｆｓ１−ｆＩＦ２）かつバンド幅（ＢＷ×５）のデジタル信号が生成される。
【００９４】
このように、アナログ／デジタル変換器３５の出力するデジタル信号において、希望波とは無相関の信号が周波数軸上で当該希望波と重なった状態で存在することになる（妨害波２）。
【００９５】
図６は、送信信号測定部におけるアナログ／デジタル変換器の入出力信号の周波数を示す図である。
【００９６】
図６を参照して、理想的な場合では、アナログ／デジタル変換器３５は、周波数ｆｓ２のクロックに基づいて、中心周波数ｆＩＦ２のＩＦ信号を中心周波数（ｆＩＦ２−ｆｓ２）のＩＦ帯のデジタル信号に変換する。しかしながら、実際には、アナログ／デジタル変換器１３へ供給される周波数ｆｓ１のクロックおよびこのクロックの３倍波である周波数３×ｆｓ１のクロックがアナログ／デジタル変換器３５のクロック入力端子に漏えいすることにより、中心周波数（ｆＩＦ２−２×ｆｓ１）の妨害波１および中心周波数（３×ｆｓ１−ｆＩＦ２）の妨害波２が生成される。
【００９７】
このように、アナログ／デジタル変換器１３へ供給される周波数ｆｓ１のクロックおよび３倍波がアナログ／デジタル変換器３５のクロック入力端子へ漏えいすると、周波数軸上で希望波と重なる妨害波１および妨害波２が発生することにより、送信信号測定部５５における送信無線信号の測定精度が低下してしまう。
【００９８】
そこで、本発明の第１の実施の形態に係る無線通信装置では、以下のようなクロック周波数制御を行なうことにより、上記問題点を解決する。次に、本発明の第１の実施の形態に係る無線通信装置がクロック周波数制御を行なう際の動作について図面を用いて説明する。
【００９９】
図７は、本発明の第１の実施の形態に係る無線通信装置によるクロック周波数制御を示す図である。
【０１００】
図７を参照して、クロック制御部７４は、アナログ／デジタル変換器３５へ供給されるクロックの周波数を、受信期間においてアナログ／デジタル変換器１３へ供給されるクロックの周波数よりも高く設定する。そして、クロック制御部７４は、送信期間においてアナログ／デジタル変換器１３へ供給されるクロックの周波数を、アナログ／デジタル変換器３５へ供給されるクロックの周波数と等しくなるように設定する。
【０１０１】
より詳細には、クロック制御部７４は、受信期間の途中でたとえば１／１を示すシリアル制御データの分周器４３への出力を開始し、受信期間の次の切り替え期間Ｇにおいて分周数切り替えタイミング信号を分周器４３へ出力する。
【０１０２】
分周器４３は、この分周数切り替えタイミング信号に応答して、分周数をたとえば１／２からシリアル制御データが示す１／１に変更する。これにより、送信期間において、矩形波変換回路２１から出力されるクロックを１／１に分周した干渉防止用クロックがアナログ／デジタル変換器１３に供給される。
【０１０３】
次に、クロック制御部７４は、送信期間の途中でたとえば１／２を示すシリアル制御データの分周器４３への出力を開始し、送信期間の次の切り替え期間Ｇにおいて分周数切り替えタイミング信号を分周器４３へ出力する。
【０１０４】
分周器４３は、この分周数切り替えタイミング信号に応答して、分周数を１／１からシリアル制御データが示す１／２に変更する。これにより、受信期間において、矩形波変換回路２１から出力されるクロックを１／２に分周した通常クロックがアナログ／デジタル変換器１３に供給される。
【０１０５】
クロック制御部７４が上記のような動作を繰り返すことにより、送信期間および受信期間において、干渉防止用クロックおよび通常クロックがそれぞれアナログ／デジタル変換器１３へ供給される動作が繰り返される。
【０１０６】
図８は、本発明の第１の実施の形態に係る無線通信装置における各信号の周波数配置を示す図である。図の見方は図３と同様である。図８では、ｆＩＦ１：ｆＩＦ２＝１：２であり、（受信期間におけるｆｓ１）：ｆｓ２＝１：２であると仮定した場合を示している。
【０１０７】
図８を参照して、無線基地局装置１０１では、アナログ／デジタル変換器１３へ供給される周波数ｆｓ１のクロックがアナログ／デジタル変換器３５のクロック入力端子へ漏えいすると、以下のような状態になる。すなわち、無線基地局装置１０１では、測定期間において、アナログ／デジタル変換器１３のサンプリング周波数ｆｓ１は、アナログ／デジタル変換器３５のサンプリング周波数ｆｓ２と等しくなるように設定されることから、希望波と無相関の、中心周波数（ｆＩＦ２−２×ｆｓ１）かつバンド幅（ＢＷ×５）のデジタル信号（妨害波１）が生成されなくなる。したがって、希望波が妨害波１によって干渉されることがなく、送信信号測定部５５における送信無線信号の測定精度の低下を防ぐことができる。
【０１０８】
また、無線基地局装置１０１では、アナログ／デジタル変換器１３へ供給される周波数ｆｓ１のクロックの３倍波がアナログ／デジタル変換器３５のクロック入力端子へ漏えいすると、以下のような状態になる。すなわち、無線基地局装置１０１では、測定期間において、アナログ／デジタル変換器１３のサンプリング周波数ｆｓ１は、アナログ／デジタル変換器３５のサンプリング周波数ｆｓ２と等しくなるように設定されることから、周波数ｆｓ１のクロックの３倍波は、サンプリング周波数ｆｓ２と比べて大幅に高くなる。
【０１０９】
そうすると、当該３倍波はアナログ／デジタル変換器３５の使用可能帯域外のクロックとなり、アナログ／デジタル変換器３５が測定対象のＩＦ信号を当該３倍波でサンプリングできない。このため、希望波と無相関の、中心周波数（３×ｆｓ１−ｆＩＦ２）かつバンド幅（ＢＷ×５）のデジタル信号（妨害波２）は生成されなくなる。したがって、希望波が妨害波２によって干渉されることがなく、送信信号測定部５５における送信無線信号の測定精度の低下を防ぐことができる。
【０１１０】
なお、測定期間における送信信号測定部５５への干渉を防ぐために、受信期間を含む全期間においてサンプリング周波数ｆｓ１をサンプリング周波数ｆｓ２と等しくなるように設定しておく方法も考えられる。しかしながら、このような方法では、より高速なクロックで動作可能なデバイスをアナログ／デジタル変換器１３として選択する必要が生じるため、コストが増大してしまう。
【０１１１】
図９は、本発明の第１の実施の形態に係る無線通信装置によるクロック周波数制御の他の例を示す図である。
【０１１２】
図９を参照して、クロック制御部７４は、送信データ処理を行なうべき送信期間における、測定期間の開始時から所定時間前のタイミングにおいて、アナログ／デジタル変換器１３へ供給されるクロックの周波数を、アナログ／デジタル変換器３５へ供給されるクロックの周波数と等しくなるように変更する。
【０１１３】
また、クロック制御部７４は、送信データ処理を行なうべき送信期間における、測定期間の終了時から所定時間後のタイミングにおいて、アナログ／デジタル変換器１３へ供給されるクロックの周波数を、受信期間においてアナログ／デジタル変換器１３へ供給すべきクロックの周波数に変更する。
【０１１４】
より詳細には、クロック制御部７４は、受信期間の途中でたとえば１／１を示すシリアル制御データの分周器４３への出力を開始し、測定期間の開始時から所定時間前の送信期間中のタイミングにおいて分周数切り替えタイミング信号を分周器４３へ出力する。
【０１１５】
分周器４３は、この分周数切り替えタイミング信号に応答して、分周数をたとえば１／２からシリアル制御データが示す１／１に変更する。これにより、測定期間の開始時から所定時間前において、矩形波変換回路２１から出力されるクロックを１／１に分周した干渉防止用クロックがアナログ／デジタル変換器１３に供給される。すなわち、測定期間の開始時に干渉防止用クロックの供給を開始する構成と比べて、送信信号測定部５５への干渉を早期に防止し、送信信号測定処理を確実に安定して開始することができる。
【０１１６】
次に、クロック制御部７４は、送信期間の途中でたとえば１／２を示すシリアル制御データの分周器４３への出力を開始し、測定期間の終了時から所定時間後の送信期間中のタイミングにおいて分周数切り替えタイミング信号を分周器４３へ出力する。
【０１１７】
分周器４３は、この分周数切り替えタイミング信号に応答して、分周数を１／１からシリアル制御データが示す１／２に変更する。これにより、送信期間の終了時から所定時間前において、矩形波変換回路２１から出力されるクロックを１／２に分周した通常クロックがアナログ／デジタル変換器１３に供給される。すなわち、切り替え期間Ｇにおいて干渉防止用クロックの供給を停止する構成と比べて、時間軸で見た場合におけるアナログ／デジタル変換器１３の消費電力を低減することができる。
【０１１８】
ところで、昨今の無線通信においては、デジタル信号処理に用いられるクロックの高速化がますます進んでいる。また、無線通信装置では、ＤＰＤ等を行なうために、分岐された送信無線信号を受信処理してベースバンドのデジタル信号に変換することにより、当該送信無線信号を測定する送信信号測定部が設けられる場合がある。
【０１１９】
このような構成においては、クロックの高速化に伴い、送信信号測定部における主信号と、他の装置からの無線信号を処理する受信系において用いられるクロックの周波数とが同じような周波数帯に存在することも珍しくなくなっている。そして、受信系において用いられるクロックが送信信号測定部に漏えいすることにより、送信信号測定部の測定精度が低下してしまう場合がある。
【０１２０】
特に、近年は、高速なクロックで動作可能なＡ／Ｄコンバータが開発されており、ＩＦ信号を高速なクロックで直接サンプリングするＩＦサンプリングと呼ばれる手法も取り入れられている。送信信号測定部において、送信無線信号をＩＦ信号に周波数変換し、このＩＦ信号に対してＩＦサンプリングを行なう構成では、ＩＦ信号およびサンプリングクロックが同じような周波数帯に存在し、当該クロックがＩＦ信号に干渉する場合が少なくない。
【０１２１】
これに対して、本発明の第１の実施の形態に係る無線通信装置では、クロック制御部７４は、送信データ処理を行なうべき送信期間においてアナログ／デジタル変換器１３へ供給されるクロックの周波数を、測定期間においてアナログ／デジタル変換器３５へ供給されるクロックの周波数と等しくなるように設定する。
【０１２２】
このような構成により、アナログ／デジタル変換器１３へ供給されるクロックがアナログ／デジタル変換器３５へ漏えいし、この漏えいクロックを用いてアナログ／デジタル変換器３５がサンプリングを行っても、希望波が妨害波によって干渉されることを防ぐことができる。このため、送信信号測定部５５における送信無線信号の測定精度の低下を防ぐことができる。すなわち、クロック等の周波数変換信号による干渉を防ぐことにより、送信無線信号を高い精度で測定することができる。
【０１２３】
また、受信期間を含む全期間においてサンプリング周波数ｆｓ１をサンプリング周波数ｆｓ２と等しくなるように設定しておく構成と比べて、アナログ／デジタル変換器１３のコストを低減することができる。
【０１２４】
また、本発明の第１の実施の形態に係る無線通信装置では、送信データ処理部５１は、送信信号測定部５５によって変換されたベースバンドのデジタル信号に基づいて通信データを補正し、補正した通信データをアナログ信号に変換して出力する送信データ処理を行なう。
【０１２５】
このように、クロック周波数制御によって得られる送信無線信号の高精度な測定結果を用いて通信データを補正する構成により、ＴＤＤ方式等、他の装置との間の通信データの送信および受信を時間的に切り替えて行なう方式を採用する構成において、無線通信装置の送信特性を向上させることができる。
【０１２６】
また、本発明の第１の実施の形態に係る無線通信装置では、クロック制御部７４は、送信データ処理部５１が送信データ処理を行なうべき送信期間と受信データ処理部５３が受信データ処理を行なうべき受信期間との間に設けられた切り替え期間Ｇにおいて、アナログ／デジタル変換器１３へ供給されるクロックの周波数を変更する。
【０１２７】
このように、送信期間および受信期間ではなく、切り替え期間Ｇにおいてクロックの周波数を変更する構成により、クロック制御処理の簡易化を図ることができる。
【０１２８】
［変形例］
本発明は、上記実施の形態に限定されるものではなく、たとえば以下の変形例も含まれる。
【０１２９】
本発明の第１の実施の形態に係る無線通信装置では、アナログ／デジタル変換器１３のサンプリング周波数ｆｓ１は、アナログ／デジタル変換器３５のサンプリング周波数ｆｓ２と等しくなるように設定される構成であるとしたが、これに限定するものではない。たとえば、以下のようなクロック周波数制御を行なう構成であってもよい。
【０１３０】
図１０は、本発明の第１の実施の形態に係る無線通信装置の変形例１における各信号の周波数配置を示す図である。図の見方は図３と同様である。図１０では、ｆＩＦ１：ｆＩＦ２＝１：２であり、（受信期間におけるｆｓ１）：ｆｓ２＝１：２であると仮定した場合を示している。
【０１３１】
図１０を参照して、この無線基地局装置では、測定期間において、アナログ／デジタル変換器１３のサンプリング周波数ｆｓ１を、アナログ／デジタル変換器３５のサンプリング周波数ｆｓ２よりも高く設定する。たとえば、ｆｓ１は、以下の式を満たすように設定される。
（ｆＩＦ２−ｆｓ２）−（ｆＩＦ２−２×ｆｓ１）＞５×ＢＷすなわち２×ｆｓ１−ｆｓ２＞５×ＢＷ
【０１３２】
この無線基地局装置では、アナログ／デジタル変換器１３へ供給される周波数ｆｓ１のクロックがアナログ／デジタル変換器３５のクロック入力端子へ漏えいすると、以下のような状態になる。すなわち、希望波と無相関の、中心周波数（ｆＩＦ２−２×ｆｓ１）かつバンド幅（ＢＷ×５）のデジタル信号（妨害波１）は、周波数軸上で希望波と重ならなくなる。したがって、希望波が妨害波１によって干渉されることがなく、送信信号測定部５５における送信無線信号の測定精度の低下を防ぐことができる。
【０１３３】
また、無線基地局装置１０１では、アナログ／デジタル変換器１３へ供給される周波数ｆｓ１のクロックの３倍波がアナログ／デジタル変換器３５のクロック入力端子へ漏えいすると、以下のような状態になる。すなわち、無線基地局装置１０１では、測定期間において、アナログ／デジタル変換器１３のサンプリング周波数ｆｓ１は、アナログ／デジタル変換器３５のサンプリング周波数ｆｓ２よりも高く設定されることから、周波数ｆｓ１のクロックの３倍波は、サンプリング周波数ｆｓ２と比べて大幅に高くなる。
【０１３４】
そうすると、当該３倍波はアナログ／デジタル変換器３５の使用可能帯域外のクロックとなり、アナログ／デジタル変換器３５が測定対象のＩＦ信号を当該３倍波でサンプリングできない。このため、希望波と無相関の、中心周波数（３×ｆｓ１−ｆＩＦ２）かつバンド幅（ＢＷ×５）のデジタル信号（妨害波２）は生成されなくなる。したがって、希望波が妨害波２によって干渉されることがなく、送信信号測定部５５における送信無線信号の測定精度の低下を防ぐことができる。
【０１３５】
図１１は、本発明の第１の実施の形態に係る無線通信装置の変形例２における各信号の周波数配置の例を示す図である。図の見方は図３と同様である。図１１では、ｆＩＦ１：ｆＩＦ２＝１：２であり、（受信期間におけるｆｓ１）：ｆｓ２＝１：２であると仮定した場合を示している。
【０１３６】
図１１を参照して、この無線通信装置では、クロック制御部７４は、測定期間においてアナログ／デジタル変換器１３へ供給されるクロックの周波数を、受信期間においてアナログ／デジタル変換器１３へ供給されるクロックの周波数より高く設定する。
【０１３７】
すなわち、測定期間におけるサンプリング周波数ｆｓ１を、たとえば中心周波数（ｆＩＦ２−２×ｆｓ１）かつバンド幅（ＢＷ×５）のデジタル信号（妨害波１）および中心周波数（３×ｆｓ１−ｆＩＦ２）かつバンド幅（ＢＷ×５）のデジタル信号（妨害波２）が、希望波である中心周波数（ｆＩＦ２−ｆｓ２）かつバンド幅（ＢＷ×５）のデジタル信号と周波数軸上で重ならないような値に設定する。これにより、希望波が妨害波１および妨害波２によって干渉されることを防ぐことができる。
【０１３８】
具体的には、たとえば以下の２つの式を満たすようにｆｓ１を設定する。
妨害波１について、ｆｓ２−２×ｆｓ１＞５×ＢＷ
妨害波２について、３×ｆｓ１−ｆＩＦ２―（ｆＩＦ２−ｆｓ２）＞５×ＢＷ
【０１３９】
したがって、アナログ／デジタル変換器１３へ供給されるクロックがアナログ／デジタル変換器３５へ漏えいし、この漏えいクロックを用いてアナログ／デジタル変換器３５がサンプリングを行なうことにより妨害波が発生しても、発生した妨害波が希望波に干渉することを防ぐことができる。このため、送信信号測定部５５における送信無線信号の測定精度の低下を防ぐことができる。
【０１４０】
図１２は、本発明の第１の実施の形態に係る無線通信装置の変形例３における各信号の周波数配置の例を示す図である。図の見方は図３と同様である。図１２では、ｆＩＦ１：ｆＩＦ２＝１：２であり、（受信期間におけるｆｓ１）：ｆｓ２＝１：２であると仮定した場合を示している。
【０１４１】
図１２を参照して、この無線通信装置では、クロック制御部７４は、送信期間においてアナログ／デジタル変換器１３へ供給されるクロックの周波数を、受信期間においてアナログ／デジタル変換器１３へ供給されるクロックの周波数より低く設定する。すなわち、クロック制御部７４は、送信期間におけるアナログ／デジタル変換器１３のサンプリング周波数ｆｓ１を、受信期間におけるアナログ／デジタル変換器１３のサンプリング周波数ｆｓ１よりも低く設定する。
【０１４２】
すなわち、測定期間におけるサンプリング周波数ｆｓ１を、たとえば中心周波数（ｆＩＦ２−２×ｆｓ１）かつバンド幅（ＢＷ×５）のデジタル信号（妨害波１）および中心周波数（３×ｆｓ１−ｆＩＦ２）かつバンド幅（ＢＷ×５）のデジタル信号（妨害波２）が、希望波である中心周波数（ｆＩＦ２−ｆｓ２）かつバンド幅（ＢＷ×５）のデジタル信号と周波数軸上で重ならないような値に設定することにより、希望波が妨害波１および妨害波２によって干渉されることを防ぐことができる。
【０１４３】
具体的には、たとえば以下の２つの式を満たすようにｆｓ１を設定する。
妨害波１について、２×ｆｓ１−ｆｓ２＞５×ＢＷ
妨害波２について、ｆＩＦ２−ｆｓ２―（３×ｆｓ１−ｆＩＦ２）＞５×ＢＷ
【０１４４】
したがって、アナログ／デジタル変換器１３へ供給されるクロックがアナログ／デジタル変換器３５へ漏えいし、この漏えいクロックを用いてアナログ／デジタル変換器３５がサンプリングを行なうことにより妨害波が発生しても、発生した妨害波が希望波に干渉することを防ぐことができる。このため、送信信号測定部５５における送信無線信号の測定精度の低下を防ぐことができる。
【０１４５】
このように、本発明の第１の実施の形態に係る無線通信装置の変形例２および変形例３では、少なくとも測定期間においてアナログ／デジタル変換器１３へ供給されるクロックの周波数ｆｓ１は、測定期間においてアナログ／デジタル変換器３５へ供給されるクロックの周波数ｆｓ２と、無線送信部５２から送信される無線信号の帯域幅ＢＷとに基づいて定められている。
【０１４６】
このような構成により、図７、図８、図１０および図１１で示される周波数設定方法以外の方法を提供することが可能となり、クロックの周波数選択の自由度を高めることができる。
【０１４７】
また、本発明の第１の実施の形態に係る無線通信装置では、クロック制御部７４は、送信期間のすべてにおいてアナログ／デジタル変換器１３へ干渉防止用クロックを供給する構成であるとしたが、これに限定するものではない。クロック制御部７４は、受信期間以外の少なくとも測定期間においてアナログ／デジタル変換器１３へ干渉防止用クロックを供給する構成であればよい。
【０１４８】
また、本発明の第１の実施の形態に係る無線通信装置では、送信信号測定部５５は、送信期間の一部において送信信号測定処理を行なう構成であるとしたが、これに限定するものではない。送信信号測定部５５は、送信期間の全部において送信信号測定処理を行なう構成であってもよい。
【０１４９】
また、本発明の第１の実施の形態に係る無線通信システムでは、フレーム中に切り替え期間Ｇが設けられる構成であるとしたが、これに限定するものではない。切り替え期間Ｇは理想的には設ける必要はなく、フレーム中に測定期間を含む送信期間と、受信期間とが設けられる構成であってもよい。
【０１５０】
また、本発明の第１の実施の形態に係る無線通信装置では、送信信号測定部５５は、カプラ３２から受けた無線信号をミキサ３７によって中間周波信号に変換し、変換された中間周波信号をアナログ／デジタル変換器３５によってさらに周波数の低い中間周波帯のデジタル信号に変換し、変換されたデジタル信号をベースバンド変換部７１によってベースバンドのデジタル信号に変換する構成であるとしたが、これに限定するものではない。送信信号測定部５５は、カプラ３２から受けた無線信号を直接、アナログ／デジタル変換器３５によって中間周波帯のデジタル信号に変換し、変換されたデジタル信号をベースバンド変換部７１によってベースバンドのデジタル信号に変換する構成であってもよい。
【０１５１】
同様に、本発明の第１の実施の形態に係る無線通信装置では、受信データ処理部５３は、無線受信部５４によって受信された無線信号をミキサ１６によって中間周波信号に変換し、変換された中間周波信号をアナログ／デジタル変換器１３によってさらに周波数の低い中間周波帯のデジタル信号に変換し、変換されたデジタル信号をベースバンド変換部７２によってベースバンドのデジタル信号に変換する構成であるとしたが、これに限定するものではない。受信データ処理部５３は、無線受信部５４によって受信された無線信号を直接、アナログ／デジタル変換器１３によって中間周波帯のデジタル信号に変換し、変換されたデジタル信号をベースバンド変換部７２によってベースバンドのデジタル信号に変換する構成であってもよい。
【０１５２】
また、本発明の第１の実施の形態に係る無線通信装置は、ＤＰＤを行なう構成であるとしたが、これに限定するものではない。ＤＰＤに限らず、送信無線信号の測定結果を外部へ出力したり、内部のメモリに蓄積したりする等、単に送信無線信号を測定する構成であってもよい。
【０１５３】
また、本発明の第１の実施の形態に係る無線通信システムはＷｉＭＡＸシステムであるとしたが、これに限定するものではない。無線通信装置間の通信データの送信および受信が時間的に切り替えられる無線通信システムであれば、どのような方式を採用する無線通信システムであってもよい。
【０１５４】
次に、本発明の他の実施の形態について図面を用いて説明する。なお、図中同一または相当部分には同一符号を付してその説明は繰り返さない。
【０１５５】
＜第２の実施の形態＞
本実施の形態は、第１の実施の形態に係る無線通信装置と比べてＩＦサンプリングを行なわない構成とした無線通信装置に関する。以下で説明する内容以外は第１の実施の形態に係る無線通信装置と同様である。
【０１５６】
図１３は、本発明の第２の実施の形態に係る無線通信装置の構成を示す図である。
【０１５７】
図１３を参照して、無線基地局装置（無線通信装置）１０２は、送信データ処理部５１と、無線送信部５２と、受信データ処理部８３と、無線受信部５４と、送信信号測定部８５と、送受信切り替えスイッチ１８と、アンテナ１９と、クロック生成部９１と、バッファ２２〜２４とを備える。送信データ処理部５１は、通信データ生成部７５と、データ補正部７６と、デジタル／アナログ変換器（ＤＡＣ）１２とを含む。無線送信部５２は、ミキサ１４と、発振器３１と、送信アンプ１５と、カプラ（分岐回路）３２とを含む。受信データ処理部８３は、ミキサ６５，６６と、発振器６７，６８と、通信データ生成部７３と、アナログ／デジタル変換器（ＡＤＣ）１３とを含む。無線受信部５４は、ミキサ１６と、発振器３４と、受信アンプ１７と、ＢＰＦ（Band Pass Filter）３３とを含む。送信信号測定部８５は、ミキサ３７と、発振器３８と、ＢＰＦ３６と、ミキサ６１，６２と、発振器６３，６４と、アナログ／デジタル変換器（ＡＤＣ）３５とを含む。クロック生成部９１は、発振器２０と、矩形波変換回路２１と、分周器４１〜４３とを含む。信号処理部１１は、たとえばＤＳＰ（Digital Signal Processor）であり、少なくとも通信データ生成部７５、データ補正部７６、通信データ生成部７３および周波数変換信号制御部７７の機能を実行する。
【０１５８】
送信データ処理部５１は、供給されるクロックに基づいて動作することにより、送信すべき通信データを生成し、生成した通信データをアナログ信号に変換して出力する送信データ処理を行なう。
【０１５９】
無線送信部５２は、送信データ処理部５１から受けたアナログ信号を無線信号に変換して無線端末装置２０１へ送信する。
【０１６０】
無線受信部５４は、無線端末装置２０１から無線信号を受信してＩＦ信号に変換し、変換した信号を受信データ処理部８３へ出力する。
【０１６１】
受信データ処理部８３は、たとえば正弦波である周波数変換信号、および供給されるクロックに基づいて動作することにより、無線受信部５４から受けたＩＦ信号からデジタル信号である通信データを生成する受信データ処理を行なう。
【０１６２】
送信信号測定部８５は、たとえば正弦波である周波数変換信号、および供給されるクロックに基づいて動作することにより、無線送信部５２から受けた無線信号を中間周波帯のデジタル信号に変換し、変換したデジタル信号をベースバンドのデジタル信号に変換する送信信号測定処理を行なう。
【０１６３】
クロック生成部９１は、送信データ処理部５１、受信データ処理部８３および送信信号測定部８５を動作させるためのクロックを少なくとも生成する。
【０１６４】
より詳細には、発振器２０は、アナログ信号である基準クロックを生成して出力する。矩形波変換回路２１は、発振器２０から受けた基準クロックをデジタル信号のクロックに変換し、分周器４１〜４３へ出力する。
【０１６５】
分周器４１は、矩形波変換回路２１から受けたクロックを１／ｎ３（ｎ３は１以上の整数）に分周し、バッファ２２へ出力する。分周器４２は、矩形波変換回路２１から受けたクロックを１／ｎ２（ｎ２は１以上の整数）に分周して周波数ｆｓ２のクロックを生成し、バッファ２３へ出力する。分周器４３は、矩形波変換回路２１から受けたクロックを１／ｎ１（ｎ１は１以上の整数）に分周して周波数ｆｓ１のクロックを生成し、バッファ２４へ出力する。
【０１６６】
バッファ２２は、分周器４１から受けたクロックをデジタル／アナログ変換器１２へ出力する。バッファ２３は、分周器４２から受けたクロックをアナログ／デジタル変換器３５へ出力する。バッファ２４は、分周器４３から受けたクロックをアナログ／デジタル変換器１３へ出力する。
【０１６７】
通信データ生成部７５は、たとえば上位ネットワークから受信したデータを含む通信データを生成し、生成した通信データに対してたとえばＯＦＤＭ（Orthogonal Frequency Division Multiplex）方式におけるＩＦＦＴ（Inverse First Fourier Transform）等の信号処理を行い、この信号処理後のデジタル信号をデータ補正部７６へ出力する。
【０１６８】
デジタル／アナログ変換器１２は、データ補正部７６を介して信号処理部１１から受けたデジタル信号をアナログ信号に変換し、ミキサ１４へ出力する。ここで、デジタル／アナログ変換器１２は、分周器４１から受けたクロックに基づいて動作する。より詳細には、デジタル／アナログ変換器１２は、分周器４１から受けたクロックに同期して、当該クロックの周波数に応じた速さで動作する。
【０１６９】
発振器３１は、周波数ｆＴＸを有するたとえば正弦波である周波数変換信号を生成してミキサ１４へ出力する。
【０１７０】
ミキサ１４は、デジタル／アナログ変換器１２から受けたベースバンドのアナログ信号と発振器３１から受けた周波数変換信号とを乗算することにより、デジタル／アナログ変換器１２から受けたアナログ信号をたとえば直交変調して無線信号すなわちＲＦ（Radio Frequency）帯の信号に変換し、送信アンプ１５へ出力する。
【０１７１】
送信アンプ１５は、ミキサ１４から受けた無線信号を増幅し、カプラ３２へ出力する。
カプラ３２は、送信アンプ１５から受けた無線信号を分岐して出力する。カプラ３２によって分岐された一方の無線信号は、送受信切り替えスイッチ１８およびアンテナ１９を介して無線端末装置２０１へ送信される。また、カプラ３２によって分岐された他方の無線信号は、送信信号測定部８５におけるミキサ３７へ出力される。ここで、カプラ３２からミキサ３７へ出力される無線信号の電力は、カプラ３２から送受信切り替えスイッチ１８へ出力される無線信号の電力と比べてかなり小さくなるように、カプラ３２における回路定数が設定される。
【０１７２】
発振器３８は、周波数ｆＲＸ２を有するたとえば正弦波である周波数変換信号を生成してミキサ３７へ出力する。
【０１７３】
ミキサ３７は、カプラ３２から受けた無線信号と発振器３８から受けた周波数変換信号とを乗算することにより、カプラ３２から受けた無線信号を中心周波数ｆＩＦ２のＩＦ信号に周波数変換し、バンドパスフィルタ３６へ出力する。
【０１７４】
バンドパスフィルタ３６は、ミキサ３７から受けたＩＦ信号の周波数成分のうち、所定の周波数帯域外の成分を減衰させた信号をミキサ６１へ出力する。
【０１７５】
発振器６３は、たとえば正弦波である周波数ｆｓ２の周波数変換信号を生成してミキサ６１へ出力する。発振器６３は、たとえばＶＣＯ（Voltage Control Oscillator）であり、周波数変換信号制御部７７から受けた制御電圧に応じて周波数変換信号の周波数ｆｓ２を変更する。
【０１７６】
ミキサ６１は、バンドパスフィルタ３６から受けたＩＦ信号と発振器６３から受けた周波数変換信号とを乗算することにより、バンドパスフィルタ３６から受けたＩＦ信号を中心周波数（ｆＩＦ２−ｆｓ２）のＩＦ信号に周波数変換し、ミキサ６２へ出力する。
【０１７７】
発振器６４は、周波数（ｆＩＦ２−ｆｓ２）を有するたとえば正弦波である周波数変換信号を生成してミキサ６２へ出力する。
【０１７８】
ミキサ６２は、ミキサ６１から受けたＩＦ信号と発振器６４から受けた周波数変換信号とを乗算することにより、ミキサ６１から受けたＩＦ信号をベースバンド信号に周波数変換し、アナログ／デジタル変換器３５へ出力する。
【０１７９】
アナログ／デジタル変換器３５は、ミキサ６２から受けたベースバンド信号をデジタル信号に変換し、信号処理部１１におけるデータ補正部７６へ出力する。このベースバンドのデジタル信号が、無線送信部５２から出力される送信無線信号の測定結果を示している。ここで、アナログ／デジタル変換器３５は、分周器４２から受けたクロックに基づいて動作する。より詳細には、アナログ／デジタル変換器３５は、分周器４２から受けたクロックに同期して、当該クロックの周波数ｆｓ２に応じた速さで動作する。
【０１８０】
データ補正部７６は、アナログ／デジタル変換器３５から受けたデジタル信号に基づいて、通信データ生成部７５によって生成された通信データを補正し、デジタル／アナログ変換器１２へ出力する。より詳細には、データ補正部７６は、たとえば、無線送信部５２から受けたデジタル信号が示す送信無線信号の測定結果から、当該送信無線信号の変調帯域外の成分すなわちサイドローブを測定し、このサイドローブが所定レベル以下になるように通信データを補正する。
【０１８１】
送受信切り替えスイッチ１８は、信号処理部１１から受けた図示しない制御信号に基づいて、送信アンプ１５から受けた無線信号をアンテナ１９へ出力するか、アンテナ１９から受けた無線信号を受信アンプ１７へ出力するかを切り替える。
【０１８２】
信号処理部１１は、たとえば後述する切り替え期間Ｇにおいて、送受信切り替えスイッチ１８の接点の切り替えを行なう。
【０１８３】
受信アンプ１７は、アンテナ１９および送受信切り替えスイッチ１８を介して無線端末装置２０１から無線信号を受信し、受信した無線信号を増幅してミキサ１６へ出力する。
【０１８４】
発振器３４は、周波数ｆＲＸ１を有するたとえば正弦波である周波数変換信号を生成してミキサ１６へ出力する。
【０１８５】
ミキサ１６は、受信アンプ１７から受けた無線信号と発振器３４から受けた周波数変換信号とを乗算することにより、受信アンプ１７から受けた無線信号を中心周波数ｆＩＦ１のＩＦ信号に変換し、バンドパスフィルタ３３へ出力する。
【０１８６】
バンドパスフィルタ３３は、ミキサ１６から受けたＩＦ信号の周波数成分のうち、所定の周波数帯域外の成分を減衰させた信号をミキサ６５へ出力する。
【０１８７】
発振器６７は、たとえば正弦波である周波数ｆｓ１の周波数変換信号を生成してミキサ６５へ出力する。発振器６７は、たとえばＶＣＯであり、周波数変換信号制御部７７から受けた制御電圧に応じて周波数変換信号の周波数ｆｓ１を変更する。
【０１８８】
ミキサ６５は、バンドパスフィルタ３３から受けたＩＦ信号と発振器６７から受けた周波数変換信号とを乗算することにより、バンドパスフィルタ３３から受けたＩＦ信号を中心周波数（ｆＩＦ１−ｆｓ１）のＩＦ信号に周波数変換し、ミキサ６５へ出力する。
【０１８９】
発振器６７は、周波数（ｆＩＦ１−ｆｓ１）を有するたとえば正弦波である周波数変換信号を生成してミキサ６６へ出力する。
【０１９０】
ミキサ６６は、ミキサ６５から受けたＩＦ信号と発振器６８から受けた周波数変換信号とを乗算することにより、ミキサ６５から受けたＩＦ信号をベースバンド信号に周波数変換し、アナログ／デジタル変換器１３へ出力する。
【０１９１】
アナログ／デジタル変換器１３は、ミキサ６５から受けたベースバンド信号をデジタル信号に変換し、信号処理部１１における通信データ生成部７３へ出力する。ここで、アナログ／デジタル変換器１３は、分周器４３から受けたクロックに基づいて動作する。より詳細には、アナログ／デジタル変換器１３は、分周器４３から受けたクロックに同期して、当該クロックの周波数ｆｓ１に応じた速さで動作する。
【０１９２】
通信データ生成部７３は、アナログ／デジタル変換器１３から受けたデジタル信号に対してたとえばＯＦＤＭ方式におけるＦＦＴ（First Fourier Transform）等の信号処理を行なうことにより、無線端末装置２０１が送信した通信データを復元する。
【０１９３】
信号処理部１１は、通信データ生成部７３によって復元された通信データを上位ネットワークへ送信するか、または自ら用いて種々の動作を行なう。
【０１９４】
［動作］
ここで、本発明の第２の実施の形態に係る無線通信装置が周波数変換信号の周波数制御を行なわないと仮定した場合、本発明の第１の実施の形態に係る無線通信装置と同様に、送信信号測定部５５における送信無線信号の測定精度が低下してしまう。すなわち、ミキサ６５へ供給される周波数変換信号がミキサ６１へ漏えいし、ミキサ６１が、バンドパスフィルタ３６から受けたＩＦ信号と漏えいした周波数変換信号とを乗算することにより妨害波が発生し、当該妨害波が希望波に干渉してしまう。
【０１９５】
そこで、本発明の第２の実施の形態に係る無線通信装置では、以下のような周波数変換信号の周波数制御を行なうことにより、上記問題点を解決する。次に、本発明の第２の実施の形態に係る無線通信装置が周波数変換信号の周波数制御を行なう際の動作について図面を用いて説明する。
【０１９６】
図１４は、本発明の第２の実施の形態に係る無線通信装置による周波数変換信号の周波数制御を示す図である。
【０１９７】
図１４を参照して、周波数変換信号制御部７７は、発振器６３が出力する周波数変換信号の周波数を、受信期間において発振器６７が出力する周波数変換信号の周波数よりも高く設定する。そして、周波数変換信号制御部７７は、送信期間において発振器６７が出力する周波数変換信号の周波数を、発振器６３が出力する周波数変換信号の周波数と等しくなるように設定する。
【０１９８】
より詳細には、周波数変換信号制御部７７は、発振器６３がミキサ６１へ出力する周波数変換信号の周波数を２×ｆに設定する。
【０１９９】
また、周波数変換信号制御部７７は、発振器６７へ出力する制御電圧のレベルを受信期間の次の切り替え期間Ｇにおいて変更することにより、たとえば発振器６７がミキサ６５へ出力する周波数変換信号の周波数を２×ｆに設定する。これにより、送信期間において、周波数２×ｆの干渉防止用の周波数変換信号がミキサ６５に供給される。
【０２００】
次に、周波数変換信号制御部７７は、発振器６７へ出力する制御電圧のレベルを送信期間の次の切り替え期間Ｇにおいて変更することにより、たとえば発振器６７がミキサ６５へ出力する周波数変換信号の周波数をｆに設定する。これにより、受信期間において、周波数ｆの通常用の周波数変換信号がミキサ６５に供給される。
【０２０１】
周波数変換信号制御部７７が上記のような動作を繰り返すことにより、送信期間および受信期間において、干渉防止用の周波数変換信号および通常用の周波数変換信号がそれぞれミキサ６５へ供給される動作が繰り返される。
【０２０２】
その他の構成および動作は第１の実施の形態に係る無線通信装置と同様であるため、ここでは詳細な説明を繰り返さない。
【０２０３】
したがって、本発明の第２の実施の形態に係る無線通信装置では、ミキサ６５へ供給される周波数変換信号がミキサ６１へ漏えいし、ミキサ６１が、バンドパスフィルタ３６から受けたＩＦ信号と漏えいした周波数変換信号とを乗算しても、本発明の第１の実施の形態に係る無線通信装置と同様に、希望波が妨害波によって干渉されることを防ぐことができる。すなわち、周波数変換信号による干渉を防ぐことにより、送信無線信号を高い精度で測定することができる。
【０２０４】
さらに、本発明の第２の実施の形態に係る無線通信装置では、本発明の第１の実施の形態に係る無線通信装置と同様に、図１０〜図１２に示すような周波数変換信号の周波数制御を行なうことにより、妨害波が希望波に干渉することを防ぐことも可能である。
【０２０５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２０６】
１１  信号処理部
１２  デジタル／アナログ変換器
１３  アナログ／デジタル変換器
１４  ミキサ
１５  送信アンプ
１６  ミキサ
１７  受信アンプ
１８  送受信切り替えスイッチ
１９  アンテナ
２０  発振器
２１  矩形波変換回路
２２〜２４  バッファ
３１  発振器
３２  カプラ（分岐回路）
３３  ＢＰＦ
３４  発振器
３５  アナログ／デジタル変換器
３６  ＢＰＦ
３７  ミキサ
３８  発振器
４１〜４３  分周器
５１  送信データ処理部
５２  無線送信部
５３  受信データ処理部
５４  無線受信部
５５  送信信号測定部
６１，６２，６５，６６  ミキサ
６３，６４，６７，６８  発振器
７１  ベースバンド変換部
７２  ベースバンド変換部
７３  通信データ生成部
７４  クロック制御部（周波数変換信号制御部）
７５  通信データ生成部
７６  データ補正部
７７  周波数変換信号制御部
８３  受信データ処理部
８５  送信信号測定部
９１  クロック生成部
１０１  無線基地局装置（無線通信装置）
２０１  無線端末装置（無線通信装置）
３０１  無線通信システム
【図１】
2012028991.tif 000003
【図２】
2012028991.tif 000004
【図３】
2012028991.tif 000005
【図４】
2012028991.tif 000006
【図５】
2012028991.tif 000007
【図６】
2012028991.tif 000008
【図７】
2012028991.tif 000009
【図８】
2012028991.tif 000010
【図９】
2012028991.tif 000011
【図１０】
2012028991.tif 000012
【図１１】
2012028991.tif 000013
【図１２】
2012028991.tif 000014
【図１３】
2012028991.tif 000015
【図１４】
2012028991.tif 000016